(57)【要約】      （修正有）【課題】提供できる情報量が増大し、表示物、予備表示物の入れ替えや交換が容易であり、タイムリーな情報提供が可能な掲示物を提供する。【解決手段】表示保護部材１１と裏板１２により構成されるケースに、複数のＲＦＩＤタグ付き表示物と予備表示物隠匿部材を格納することができる掲示物であって、ケースは、ＲＦＩＤタグ２１２付き表示物２１のうちの一つを表示保護部材の表示窓１１１より表示し、残りの表示物を予備表示物２２として予備表示物隠匿部材３により隠匿し、予備表示物隠匿部材に、予備表示物のＲＦＩＤタグとの通信を遮蔽する通信遮蔽層を予備表示物のＲＦＩＤタグに対応する位置に設ける。【選択図】図３
0003211305.tif 000002
【実用新案登録請求の範囲】
【請求項１】
表示保護部材と裏板により構成されるケースに、複数のＲＦＩＤタグ付き表示物と予備表示物隠匿部材を格納することができる掲示物であって、
前記ケースは、前記ＲＦＩＤタグ付き表示物のうちの一つを前記表示保護部材の表示窓より表示し、
残りの表示物を予備表示物として前記予備表示物隠匿部材により隠匿し、
前記予備表示物隠匿部材に、前記予備表示物のＲＦＩＤタグとの通信を遮蔽する通信遮蔽層を前記予備表示物のＲＦＩＤタグに対応する位置に設けたこと、
を特徴とする掲示物
【請求項２】
前記ケースは、表示保護部材と裏板の少なくとも一部を磁石により固定、脱着可能に構成すること、
を特徴とする請求項１に記載の掲示物
【請求項３】
表示保護部材が可撓性を有する素材で構成されたこと、
を特徴とする請求項１〜２に記載の掲示物
【請求項４】
前記予備表示物隠匿部材の表示物側の面に蓄光材による発光層を設け、
前記表示物の基材を光透過性フィルムにより構成したこと、
を特徴とする請求項１〜３に記載の掲示物
【考案の詳細な説明】
【技術分野】
【０００１】
この考案は、視覚情報を提供するだけでなく、表示媒体に非接触通信機能を有するＲＦＩＤタグを取り付けることによって、視覚表示された対象物について、利用者が関心のある追加情報を選択的に携帯型ＲＦＩＤタグリーダーにて取得できるようにするものである。
【背景技術】
【０００２】
利用者への情報提示方法として広告看板等の視覚表示物が広く用いられている。また近年は視覚的な表示物に加え、二次元のバーコードを表示することで追加情報を加えることが行われている。例えば二次元バーコードを表示した先行文献として以下記特許文献１がある。
【先行技術文献】
【特許文献】
【０００３】
【特許文献１】特開２００６−２４３６９７号
【考案の概要】
【考案が解決しようとする課題】
【０００４】
しかし、視覚情報に二次元バーコードを組み合わせた表示媒体において、二次元バーコードの読み込みは光学的に行われるから、暗所では独自の光源を確保する必要があった。また、手ブレ等により読み取りのエラーを生じることも多かった。
【課題を解決するための手段】
【０００５】
上記の問題点に鑑み、本考案は以下の構成を有する情報媒体を提供するものである。
【０００６】
（１）表示保護部材と裏板により構成されるケースに複数のＲＦＩＤタグ付き表示物と予備表示物隠匿部材を格納することができる掲示物であって、
表示保護部材と裏板により構成されるケースは、ＲＦＩＤタグ付き表示物のうちの一つを表示保護部材の表示窓より表示し、
残りの表示物を予備表示物として予備表示物隠匿部材により隠匿し、
予備表示物隠匿部材に、予備表示物のＲＦＩＤタグとの通信を遮蔽する通信遮蔽層を予備表示物のＲＦＩＤタグに対応する位置に設けたこと、
を特徴とする掲示物
（２）表示保護部材と裏板により構成されるケースは、表示保護部材と裏板の少なくとも一部を磁石により固定、脱着可能に構成すること、
を特徴とする（１）に記載の掲示物
（３）表示保護部材が可撓性を有する素材で構成されたこと、
を特徴とする（１）〜（２）に記載の掲示物
（４）予備表示物隠匿部材の表示物側の面に蓄光材による発光層を設け、表示物の基材を光透過性フィルムにより構成したこと、
を特徴とする（１）〜（３）に記載の掲示物
【考案の効果】
【０００７】
本考案は以下の効果を有する。
（１）ＲＦＩＤタグを用いることにより、視覚情報に加え、多くの情報を提供でき、またケース中に複数の表示物を格納できるよう構成することで、さらに情報量が増大する。例えば、ウェブサイトへのリンクを設けることにより、避難所情報、スタンプラリー用データ、クーポン等の情報を追加するだけでなく、音声、パスワード等の非視覚情報も提供が可能になる。また、表示物、予備表示物を複数格納しておくことが可能であるから、例えば全時間帯、全天候に応じた表示物をすべて格納しておき、時間帯や天候に応じて表示物を交換し情報の提供を行うことができる。これら表示物を時宜に応じて表示物を交換することでタイムリーな情報提供が可能になる。
また、利用者は、自己が必要とする情報のみを携帯型ＲＦＩＤタグリーダーを用いて読み込めばよいことから、情報を選択的に収集することができ、不要な情報を受信するのを避けることができる。
（２）本考案においてはＲＦＩＤタグを用いていることから、二次元バーコードにおける位置合わせや暗所での光源確保の必要がなく、容易かつ手軽に情報の読み取りを行うことが可能になる。また、二次元バーコードを用いた場合には、書き込まれた情報の内容を変更するためには表示物全体を交換する必要があった。しかし、データの書き込みが可能なＲＦＩＤタグを用いることで、視覚的な表示部分を交換不要でＲＦＩＤタグの保存データを書き換えることが可能である上、用途に応じてデータの書き込みを禁止することもできる。
（３）本考案においては、複数の表示物を格納するにあたって、予備表示物を予備表示物隠匿部材により視覚的に隠匿することができ、さらに予備隠匿層に設けたＲＦＩＤの通信を遮蔽する通信遮蔽層により、利用者が予備表示物に付属されているＲＦＩＤタグの情報を読み込んでしまう誤読を防止することができる。
（４）好適な構成として、表示保護部材と裏板を磁石により固定することで、磁石固定部分において、表示保護部材と裏板を脱着可能に構成することができる。これにより表示物の交換を容易にすることができる。また、当該磁石は、掲示物全体を磁性構造体に固定するための固定部材を兼ねることができ、掲示物の構造を簡略化することができる。
（５）好適な構成として、表示保護部材を、可撓性を有する素材とすることで、表示保護部材と裏板を分離する際に磁石の脱着を段階的に行うことができ、表示物、予備表示物の交換をより容易に行うことが可能になる。
（６）好適な構成として、予備表示物隠匿部材の表示物側の面に蓄光材による発光層を設け、表示物の基材を光透過性フィルムで構成することで低輝度のバックライト掲示物を提供することができる。表示物の基材を光透過性フィルムで構成すれば、表示物を取り付けたままで蓄光が可能になり、メンテナンスの負担が低減できる。また、発光源に蓄光材を用いることで低輝度のバックライト掲示物を提供することができ、例えば映画館、コンサートホールやイベント会場、花火大会会場等で暗所であることが要求される低照度環境においても、視覚的な障害を生じることなく利用が可能になる。
【考案を実施するための形態】
【０００８】
以下、本考案の実施形態を説明する。なお、以下の実施形態は本考案の好適な実施形態を示したものであり、考案の技術的範囲は以下の実施形態に限定されるものではない。
【０００９】
[ケース]
本考案における表示物、予備表示物、予備表示物隠匿部材を格納するケースは、例えば、図１のように構成され、少なくとも表示保護部材と裏板により構成される。
【００１０】
[表示保護部材]
本考案において、ケースを構成する表示保護部材は表示物を視覚的に表示するために少なくとも一部に透明部分（表示窓）を有する。この透明部分は表示物を大きく表示する観点から、できるだけ広く設けることが望ましい。また、ガラスや樹脂等、内容物が表示できるものであれば素材を問わないが、透明性を有し、取扱いが容易であることから光透過性樹脂を用いることが好ましい。例えば、ポリエステル系樹脂、アセテート系樹脂、ポリエーテル系樹脂、ポリカーボネート系樹脂、ポリアクリル系樹脂、ポリメタクリル系樹脂、ポリスチレン系樹脂、ポリオレフィン系樹脂、ポリイミド系樹脂、ポリアミド系樹脂、ポリ塩化ビニル系樹脂、ポリアセタール系樹脂、ポリ塩化ビニリデン系樹脂、ポリビニルアルコール系樹脂、ポリアリレート系樹脂及びポリフェニレンサルファイド系樹脂等の光透過性を有する樹脂を素材として用いることができる。
中でも、取扱いが容易であることからポリエステル系樹脂が望ましい。さらに光透過性が高いこと、およびコストの観点から、ポリエチレンテレフタレート樹脂を好適に用いることができる。
また、表示保護部材は、好適な態様として用いられる固定部材である磁石等を視覚的に隠匿する観点から端部を不透明にすることが望ましい。
さらに、表示保護部材は、可撓性を有するものを素材として用いることが望ましい。表示保護部材に可撓性を有する素材を用いることで、表示保護部材と裏板の脱着を段階的に行うことができ、脱着がより容易になる。
【００１１】
[裏板]
本考案において、ケースを構成する裏板は、表示保護部材と、表示物等を挟んで反対面に配設され、表示保護部材と共に表示物、予備表示物、予備表示物隠匿部材を格納する機能を有する。裏板は、柔軟性のある素材、柔軟性のない素材の双方を用いることができるが、表示保護部材に可撓性を有する部材を用いた場合、掲示物の形状を維持する観点から剛直な素材を用いることが好ましい。素材としては樹脂や金属、木材等、特に限定されないが、軽量であるものが好ましい。
【００１２】
本考案において、表示物と予備表示物は予備表示物隠匿部材を挟んで配設され、表示物は表示保護部材の表示窓を介して表示され、予備表示物は予備表示物隠匿部材によって隠匿される。好ましい態様として例えば、図２のように表示物、予備表示物を格納する。
【００１３】
[表示物、予備表示物]
本考案における表示物、予備表示物には広く、写真や絵、文字等で構成された視覚的な広告・宣伝・告知媒体等の視覚的情報たる画像パターンを印刷することに加え、電磁的な情報を記録したＲＤＩＤタグを設ける。表示物の画像パターン、ＲＦＩＤタグを表示保護部材の透明部分（表示窓）より利用者が視覚的、電磁的に認識できるよう表示し、これにより、利用者は視覚的な情報を得るだけでなく、得られた視覚的な情報の中で特に興味のある追加情報を、ＲＦＩＤリーダーを用いて選択的に得ることができる。
【００１４】
[予備表示物隠匿部材]
本考案における掲示物においては、表示物の背面に予備表示物を隠匿するシート（予備表示物隠匿部材）を設ける。予備表示物隠匿部材は、予備表示物を視覚的に隠匿する必要があることから、不透明な素材を用いる。また、ＲＦＩＤの通信を遮蔽する通信遮蔽層を、予備表示物に付属されているＲＦＩＤタグに対応する位置に設けることで、予備表示物のＲＦＩＤタグに保存されている情報の読み込みを防止することができる。これによりＲＦＩＤリーダーの利用者が予備表示物に保存されているＲＦＩＤタグ情報を読み込んでしまう誤読を防止することができる。
【００１５】
[磁石]
本考案の好適な掲示物として、表示保護部材と裏板の少なくとも一部を磁石により固定、脱着可能に構成することができる。磁石とは、広く、鉄などの磁性体を引き寄せる性質のものをいい、磁性を有する金属等と磁力によって固定できるものであればよい。例えば、裏板の端部に磁石を設け、表示保護部材の対応する位置に磁性を有する金属を設けることで、固定、脱着可能に構成することができる。
【００１６】
本考案の好適な掲示物として、予備表示物隠匿部材の表示物側に蓄光材による発光層とを設け、表示物の基材を光透過性フィルムにより構成する。
【００１７】
[蓄光材]
蓄光材の成分として、特に本考案に適する蓄光性を発揮する材料としては、カルシウム、ストロンチウム、バリウム、マグネシウム等からなる少なくとも１つ以上の金属元素を用いたものを使用できる、中でもＳｒＡｌ2Ｏ4又はＳｒＡｌ14Ｏ2又はＣａＡｌ2Ｏ4などが蓄光材として好適である。
共賦活剤としてユーロピウム、ランタン、セリウム、プラセオジム、ネオジウム、サマリウム、ガドリニウム、テルビウム、ジスプロシウム、ホルミウム、エルビウム、ツリウム、イッテルビウム、ルテチウム、マンガン、スズ、ビスマス等を所定量添加したものを使用することができる。中でも共賦活剤としてユーロピウムが好ましい。
なお、蓄光シートは蓄光材を保護する観点から保護層（ラミネート）を設けることが好ましい。
【００１８】
[光透過性フィルム]
光透過性フィルムの素材は光透過性を有する樹脂であれば、上記ケースにおける表示保護部材と同様の素材を用いることができる。これに加え、表示物においては、画像表示部材の光透過性フィルムは全光線透過率が高ければ、光散乱によって透明性が下がったものであっても（拡散透過率の割合が高くても）、利用可能である。
[RFIDタグ]
長距離での通信を可能にする観点から、ＲＦＩＤタグの通信周波数はUHF帯である９００ＭＨｚの通信方式を好ましく用いることができるが、これに限定されるものではない。ＲＦＩＤリーダーの普及度合いにあわせた通信周波数を選択することができ、現在普及が進んでいるＮＦＣタグを用いても十分な効果を得ることができる。
【図面の簡単な説明】
【００１９】
【図１】実施態様における掲示物ケースの一例（斜視図）
【図２】掲示物ケースへの表示物格納イメージ（斜視図）
【図３】実施態様における掲示物の一例（斜視図）
【符号の説明】
【００２０】
１      ケース
１１    表示保護部材
１１１  表示窓
１１２  表示保護部材端部
１２    裏板
２１    表示物
２１１  画像パターン
２１２  ＲＦＩＤタグ
２２    予備表示物
３      予備表示物隠匿部材
３１    通信遮蔽層
４      磁石
【図１】
0003211305.tif 000003
【図２】
0003211305.tif 000004
【図３】
0003211305.tif 000005
【手続補正書】
【提出日】平成29年4月27日(2017.4.27)
【手続補正１】
【補正対象書類名】実用新案登録請求の範囲
【補正対象項目名】全文
【補正方法】変更
【補正の内容】
【実用新案登録請求の範囲】
【請求項１】
表示保護部材と裏板により構成されるケースに、複数のＲＦＩＤタグ付き表示物と予備表示物隠匿部材を格納することができる掲示物であって、
前記ケースは、前記ＲＦＩＤタグ付き表示物のうちの一つを前記表示保護部材の表示窓より表示し、
残りの表示物を予備表示物として前記予備表示物隠匿部材により隠匿し、
前記予備表示物隠匿部材に、前記予備表示物のＲＦＩＤタグとの通信を遮蔽する通信遮蔽層を前記予備表示物のＲＦＩＤタグに対応する位置に設けたこと、
を特徴とする掲示物
【請求項２】
前記ケースは、表示保護部材と裏板の少なくとも一部を磁石により固定、脱着可能に構成すること、
を特徴とする請求項１に記載の掲示物
【請求項３】
表示保護部材が可撓性を有する素材で構成されたこと、
を特徴とする請求項１または２に記載の掲示物
【請求項４】
前記予備表示物隠匿部材の表示物側の面に蓄光材による発光層を設け、
前記表示物の基材を光透過性フィルムにより構成したこと、
を特徴とする請求項１〜３のいずれか一項に記載の掲示物